(57)【要約】【課題】携帯型パーソナルコンピュータの音声出力の質を向上させると共に、携帯型パーソナルコンピュータの取り付け台としての実用性及び利便性を向上させること。【解決手段】携帯型パーソナルコンピュータ用のスピーカシステム１は、携帯型パーソナルコンピュータを載置可能でかつ携帯型パーソナルコンピュータの左右幅よりも大きな左右幅を備えた載置面２１を有する筐体２と、当該筐体２に携帯型パーソナルコンピュータを載置面２１の左右方向中央に載置した状態で筐体２の携帯型パーソナルコンピュータの左右端よりさらに幅方向両側にそれぞれ突出する位置の筐体２内部に、各々回動不能に固定されたスピーカ取り付け部材２６ａ，２６ｂと、当該スピーカ取り付け部材２６ａ，２６ｂにそれぞれ固定された一対のスピーカ３ａ，３ｂとを備えている。【選択図】  図２
2004171043.tif 000002
【特許請求の範囲】
【請求項１】
携帯型パーソナルコンピュータを載置可能でかつ上記携帯型パーソナルコンピュータの左右幅よりも大きな左右幅を備えた載置面を有する筐体と、当該筐体に上記携帯型パーソナルコンピュータを上記載置面の左右方向中央に載置した状態で上記筐体の上記携帯型パーソナルコンピュータの左右端よりさらに幅方向両側にそれぞれ突出する位置の筐体内部に、各々回動不能に固定されたスピーカ取り付け部材と、当該スピーカ取り付け部材にそれぞれ固定された一対のスピーカとを備えたことを特徴とする携帯型パーソナルコンピュータ用のスピーカシステム。
【請求項２】
前記突出する位置の寸法は、左右それぞれ２０ｍｍ以上であることを特徴とする請求項１記載の携帯型パーソナルコンピュータ用のスピーカシステム。
【請求項３】
前記筐体の後部に凹部を設け、この凹部を前記携帯型パーソナルコンピュータを駆動するＡＣアダプタを装填するＡＣアダプタ装填部としたことを特徴とする請求項１または２記載の携帯型パーソナルコンピュータ用のスピーカシステム。
【請求項４】
前記載置面は、前方に向かって下がっていく傾斜面で、かつその傾斜は２度以上２５度以下であることを特徴とする請求項１から３のいずれか１項記載の携帯型パーソナルコンピュータ用のスピーカシステム。
【請求項５】
前記載置面は、熱伝導性金属部材で構成されたことを特徴とする請求項１から４のいずれか１項記載の携帯型パーソナルコンピュータ用のスピーカシステム。
【請求項６】
前記筐体に、低音出力用のスピーカがさらに取り付けられていることを特徴とする請求項１から５のいずれか１項記載の携帯型パーソナルコンピュータ用のスピーカシステム。
【請求項７】
前記筐体に、低音増幅用部材が取り付けられたことを特徴とする請求項１から６のいずれか１項記載の携帯型パーソナルコンピュータ用のスピーカシステム。
【請求項８】
前記低音出力用のスピーカから出力され、前記増幅用部材を介してあるいは介さずに放出される音は、前記筐体の背面側に出されることを特徴とする請求項７記載の携帯型パーソナルコンピュータ用のスピーカシステム。
【請求項９】
前記スピーカ取り付け部材は、前記各スピーカが前記筐体の前方上向きに筐体に取り付けられていることを特徴とする請求項１から８のいずれか１項記載の携帯型パーソナルコンピュータ用のスピーカシステム。
【請求項１０】
前記低音出力用のスピーカを前記載置面に対して略直角に取り付け、前記低音出力用の振動板の前面及び背面に、当該振動板の振動に起因するバックプレッシャを防止するためのスペースを設けたことを特徴とする請求項１から９のいずれか１項記載の携帯型パーソナルコンピュータ用のスピーカシステム。
【請求項１１】
前記携帯型パーソナルコンピュータから前記各スピーカに音声信号を送信するためのケーブルターミナルを、ＵＳＢ端子、光端子、アナログ音声端子のいずれかで構成したことを特徴とする請求項１から１０記載の携帯型パーソナルコンピュータ用のスピーカシステム。
【請求項１２】
前記凹部の筐体の後部の面と平行となる面に、ＡＣ端子及び音声信号入出力端子の少なくとも一方を設けたことを特徴とする請求項３から１１記載の携帯型パーソナルコンピュータ用のスピーカシステム。
【請求項１３】
前記載置面にマウス操作部を設けたことを特徴とする請求項１から１２記載の携帯型パーソナルコンピュータ用のスピーカシステム。
【請求項１４】
前記載置面にトラッキングボールを装着したことを特徴とする請求項１から１３記載の携帯型パーソナルコンピュータ用のスピーカシステム。
【発明の詳細な説明】
【０００１】
【発明の属する技術分野】
本発明は、携帯型パーソナルコンピュータ用のスピーカシステムに関する。
【０００２】
【従来の技術】
近年、ノート型パーソナルコンピュータの中には、オーディオ機能が内蔵されたものも多数存在する。また、ノート型パーソナルコンピュータに内蔵されたオーディオ機能の性能では満足出来ないユーザーの中には、デスクトップ型パーソナルコンピュータ用のオーディオ機器をノート型パーソナルコンピュータに接続して利用するユーザーも存在する。
【０００３】
また、ＣＤ−ＲＯＭ及びＡＣ電源等を内蔵し、ノート型パーソナルコンピュータを載置可能な携帯型パーソナルコンピュータ用の専用台も存在する。さらに、携帯型パーソナルコンピュータを載置する載置部と、載置部の左右両側に設けられた一対のスピーカユニットと、載置部の内部に設けられた重低音用のサブウーファーを収納するスピーカ室が備えられたノートパソコン載置台も知られている。このノートパソコン載置台に設けられた左右のスピーカユニットは、載置部の左右側面に突出する回動軸と、回動軸に指示された中高音用の薄型スピーカとからなり、その回動軸を中心として回転可能な機構を有している（例えば、特許文献１参照）。
【０００４】
【特許文献１】
特開２００２−２１５２７０号公報
【０００５】
【発明が解決しようとする課題】
従来、一般的に、携帯型パーソナルコンピュータ（ＰＣ）と称されているものは、大別すると、デスクトップ型ＰＣ及び携帯ＰＣ（特にノートＰＣ）である。昨今、持ち運びに便利なノートＰＣが普及しつつある。近年、加えて、ノートＰＣは、機能の充実化が図られてきたため、携帯目的のみならず、自宅やオフィス等で据え置き型のＰＣの代わりに机上で使用するユーザーも増えている。
【０００６】
しかし、ノートＰＣは、機能が充実しつつあるものの小型化が優先事項であるため、やはり設計にはある程度の制約が生じる。そのため、上述のオーディオ機能が内蔵されたノート型パーソナルコンピュータは、デスクトップ型のパーソナルコンピュータと比較すると、音声を出力する機能が見劣りする。ノートＰＣにおける薄型で小さいボディ（筐体）内に備えられた小型スピーカでは、高音質化及びハイファイ化が困難であるという問題がある。
【０００７】
ノートＰＣに搭載される小型スピーカは、その振動板の面積が限られてしまう。加えて、やはりスペースの関係上、振動板の面積に適合する磁気回路を確保するためのスペースも不足しがちとなる。さらに、ノートＰＣの筐体自体も、小型化及び軽量化を優先するあまり、スピーカに適したバックキャビティとなる容積が不足する。
【０００８】
以上のことから、ノートＰＣに内蔵された超小型スピーカでは、再生周波数帯域が狭く、特に、低音帯域の再生能力が不足し、再生音圧レベルが不足気味となる。また、音圧不足を解梢する為、ボリュームを上げても振動板の歪み音が増し、しかも筐体の板厚が薄いため、いわゆるビリ音が発生し、聞くに堪えない音になるのが実情である。
【０００９】
従って、現状のノートＰＣに内蔵された小型スピーカでは、限られた信号音、及び会話、音階等を確認する程度の仕様には耐えるが、高度な音質を要求される音楽またはムービーの効果音等を再生する場合、ユーザーの要求を満たすことができない。
【００１０】
なお、現在、コンピュータを利用した通信ネットワークの発展は目覚しく、各種コンテンツが豊富に存在し、ゲーム配信は勿論のこと、ムービーまたは音楽等の配信もなされている。そして、近年のノートＰＣは、音声再生を除けば、これらのコンテンツを楽しむことが可能な種々の機能を備えている。そのため、ノートＰＣの音声再生機能の向上は、必須の課題となっている。
【００１１】
しかし、現状においては、上述したように、このようなコンテンツをノートＰＣで楽しんだり、或いはノートＰＣで音楽を再生しながら他の操作を行うには、音質があまりにも悪いと言う問題点が存在する。このような状況から、市販のデスクトップＰＣ用のスピーカシステムにノートＰＣを接続するか、ステレオヘッドフォンをノートＰＣに接続して音声を聞くユーザーも多い。
【００１２】
しかしながら、これらの対策は、次の様な欠点が存在する。例えば、上述したノートＰＣを市販のデスクトップＰＣ用のスピーカシステムに接続する方法を採用する場合は、ノートＰＣに対して適切なサイズのスピーカシステムとは言えず、一般的に外形サイズが大きすぎる。また、スピーカシステムとノートＰＣ間の配線接続も複雑となる。このため、ノートＰＣの本来のメリットである省スペースであるという利点が損なわれる。
【００１３】
また、ノートＰＣの携帯性を生かして、他所へ移動する際、そのたびに煩雑な接続配線作業が発生する。加えて、ノートＰＣを持ち去った後の机上には、配線用のリード線が乱雑に残されたままとなり、他の作業をするスペースが確保できない。また、ステレオヘツドフォンを使用する対処法においては、音楽を聞くたぴに耳に装着せねばならない煩雑性がある。加えて、音質や音場の在り方には、個人の好みが千差万別であり、万人向けとは言えない。
【００１４】
なお、上述のＰＣ専用台の場合には、音質、配線接続の煩雑性及び省スペース化に関する問題が生じにくいものの、特定のＰＣ用のみに対応した仕様となっており、汎用性が低いという欠点がある。特許文献１記載の発明は、上述した各問題点に鑑みて開発されたものである。しかし、特許文献１記載の発明は、汎用性に関する点、利便性に関する点及び構造に関する点において、まだまだ改良の余地がある。
【００１５】
例えば、特許文献１記載の発明は、回動可能機構を有しているために、構造が複雑であり、大音量が入力された際に、回動機構部分近傍にビリ音等が発生し易い欠点を有している。この欠点に対応すると、筐体の剛性をさらに高める必要が生じるためコストが増大する。
【００１６】
また、特許文献１記載の発明では、狭い載置部の内部に載置面と平行となるようにサブウーファーが取り付けられているため、サブウーファーの表裏面方向に載置部の筐体面が迫った構造となっている。このため、振動板の振幅によってバックプレッシャが発生し、振動板の振幅運動に対して大きな制動力が発生する。すなわち、特許文献１記載の発明には、サブウーファーによる低音が出力されにくいという構造的な問題が存在する。
【００１７】
なお、バックプレッシャの影響を阻止するためにサブウーファーの表裏面方向のスペースを確保すると、載置部の筐体が上下方向に大型化してしまうという問題が生じる。一方、同様に、バックプレッシャの影響を阻止するために、振動板の面積を小さくすると、周波数特性が変わり、同様の音圧を得るのが困難となる。
【００１８】
本発明の目的は、上述の問題点に鑑みて、携帯型パーソナルコンピュータの音声出力の質を向上させると共に、携帯型パーソナルコンピュータの取り付け台としての実用性及び利便性を向上させた携帯型パーソナルコンピュータ用のスピーカシステムを提供することにある。
【００１９】
【課題を解決するための手段】
本発明の携帯型パーソナルコンピュータ用のスピーカシステムは、上記問題点に鑑み、携帯型パーソナルコンピュータを載置可能でかつ携帯型パーソナルコンピュータの左右幅よりも大きな左右幅を備えた載置面を有する筐体と、当該筐体に携帯型パーソナルコンピュータを載置面の左右方向の中央に載置した状態で筐体の携帯型パーソナルコンピュータの左右端よりさらに幅方向両側にそれぞれ突出する位置の筐体内部に、各々回動不能に固定されたスピーカ取り付け部材と、当該スピーカ取り付け部材にそれぞれ固定された一対のスピーカとを備えている。
【００２０】
また、他の発明は、上述の携帯型携帯型パーソナルコンピュータ用のスピーカシステムにおいて、突出する位置の寸法は、左右それぞれ２０ｍｍ以上である。
【００２１】
また、他の発明は、上述の各携帯型パーソナルコンピュータ用のスピーカシステムにおいて、筐体の後部に凹部を設け、この凹部を携帯型パーソナルコンピュータを駆動するＡＣアダプタを装填するＡＣアダプタ装填部としている。
【００２２】
また、他の発明は、上述の各携帯型パーソナルコンピュータ用のスピーカシステムにおいて、載置面は、前方に向かって下がっていく傾斜面で、かつその傾斜は２度以上２５度以下である。
【００２３】
また、他の発明は、上述の各携帯型パーソナルコンピュータ用のスピーカシステムにおいて、載置面は、熱伝導性金属部材で構成されている。
【００２４】
また、他の発明は、上述の各携帯型パーソナルコンピュータ用のスピーカシステムにおいて、筐体に、低音出力用のスピーカがさらに取り付けられている。
【００２５】
また、他の発明は、上述の各携帯型パーソナルコンピュータ用のスピーカシステムにおいて、筐体に、低音増幅用部材が取り付けられている。
【００２６】
また、他の発明は、上述の各携帯型パーソナルコンピュータ用のスピーカシステムにおいて、低音出力用のスピーカから出力され、増幅用部材を介してあるいは介さずに放出される音は、筐体の背面側に出される。
【００２７】
また、他の発明は、上述の各携帯型パーソナルコンピュータ用のスピーカシステムにおいて、スピーカ取り付け部材は、各スピーカが筐体の前方上向きに筐体に取り付けられている。
【００２８】
また、他の発明は、上述の各携帯型パーソナルコンピュータ用のスピーカシステムにおいて、低音出力用のスピーカを載置面に対して略直角に取り付け、低音出力用の振動板の前面及び背面に、当該振動板の振動に起因するバックプレッシャを防止するためのスペースを設けている。
【００２９】
また、他の発明は、上述の各携帯型パーソナルコンピュータ用のスピーカシステムにおいて、携帯型パーソナルコンピュータから各スピーカに音声信号を送信するためのケーブルターミナルを、ＵＳＢ端子、光端子、アナログ音声端子のいずれかで構成している。
【００３０】
また、他の発明は、上述の各携帯型パーソナルコンピュータ用のスピーカシステムにおいて、凹部の筐体の後部の面と平行となる面に、ＡＣ端子及び音声信号入出力端子の少なくとも一方を設けている。
【００３１】
また、他の発明は、上述の各携帯型パーソナルコンピュータ用のスピーカシステムにおいて、載置面にマウス操作部を設けている。
【００３２】
また、他の発明は、上述の各携帯型パーソナルコンピュータ用のスピーカシステムにおいて、載置面にトラッキングボールを装着している。
【００３３】
【発明の実施の形態】
以下、本発明に係る携帯型パーソナルコンピュータ用のスピーカシステムの第１の実施の形態を、図１から図３に基づいて詳細に説明する。
【００３４】
図１は、本発明の携帯型パーソナルコンピュータ用のスピーカシステムの第１の実施の形態を示す斜視図である。図２は、図１のスピーカシステムの筐体の外観及び内部構造の一部を示す一部断面斜視図である。図３は、主に筐体の内部構造を説明するための図で、（Ａ）は底面を取り外して筐体を底面側から見た状態を示す底面図、（Ｂ）は筐体を後方から見た状態を示す背面図、（Ｃ）は筐体をサランネットを取り外して上方から見た状態を示す平面図である。
【００３５】
図２に示すように、スピーカシステム１は、筐体２と、この筐体２の内部に取り付けられた一対の中高音出力用のスピーカ３ａ，３ｂ及び低音出力用のスピーカ４と、アンプ５を有している。
【００３６】
筐体２は、図１及び図２に示すように、携帯型パーソナルコンピュータ（以下、ノートＰＣという）６を載置可能な載置面２１と、この載置面２１の両側端から下方に延出された両側面２２Ｌ，２２Ｒと、載置面２１の奥側の左右端近傍における奥端から、それぞれ下方に延出された奥側端面２３ａ，２３ｂと、両奥側端面２３ａ，２３ｂの間に位置する凹部１１と、凹部１１内の前方端となる凹部前端面１２と、内側板３１ａ，３１ｂと、載置面２１と上下方向において対向する位置に配置された底面２４と、載置面２１、底面２４及び両側面２２Ｌ，２２Ｒの各前端に連結された前面２５を有している。
【００３７】
筐体２は、その外形寸法が、幅が５００ｍｍで、奥行きが４００ｍｍで、奥側の高さが１０５ｍｍで、手前側の高さが５０ｍｍとなる、奥側に凹部１１を有した、外観Ｃ字状の箱形状を有している。
【００３８】
筐体２は、その上部にノートＰＣ６を載置面２１の左右方向の中央となる凹部１１の前方部分の所定の位置に載置すると（図１参照）、当該ノートＰＣ６の左右両側端からさらに幅方向両側にそれぞれ突出するように構成されている。本実施の形態では、この突出されている部位の幅方向の寸法が、それぞれ１００ｍｍとなっているが、特にこの寸法に限定されるものではなく、２０ｍｍ以上であることが好ましい。例えば、ＰＣ用のマイクロスピーカを奥行き方向に複数個並べ、トーンゾイレ形態のスピーカシステムとすると、実用的な音圧、音質を得ることができ、なおかつコンパクトなものとすることができる。その場合、ノートＰＣ６から、片側２０ｍｍ程度の突出でスピーカシステムを収納することができ、筐体２を極めてコンパクトなものとすることができる。
【００３９】
上述のノートＰＣ６の左右にそれぞれ突出されている部位の内部空間は、各々仕切られた空間となっている。すなわち、両側面２２Ｌ，２２Ｒから筐体２の幅方向内側に向かって所定距離離れた位置には、それぞれ内側板３１ａ，３１ｂが筐体２の内部に固定されている。これらの両内側板３１ａ，３１ｂは、奥側の端部が奥側端面２３ａ，２３ｂの内面に当接し、手前側の端部が筐体２内の中央側に形成された低音出力用のスピーカ４のためのキャビティ空間を構成する空間２０内に配置されている。この両内側板３１ａ，３１ｂの前方の端部近傍には、後述するように、傾斜板２７ａ，２７ｂが配置され、これらの傾斜板２７ａ，２７ｂの後方側の空間は、中央のノートＰＣ６の下部に形成された大きな空間２０とはそれぞれ仕切られた空間となっている。
【００４０】
上述したように形成された筐体２の左右両側に配置された仕切られた内部空間には、それぞれ本実施の形態のスピーカシステム１のメインスピーカとなる中高音出力用のスピーカ３ａ，３ｂを取り付けたスピーカ取り付け部となるバッフル２６ａ，２６ｂが回動不能に接着固定されている。そのため、バッフル２６ａ，２６ｂに取り付けられたスピーカ３ａ，３ｂは、その振動により、いわゆるビリ音が発生するという問題が生じにくいものとなる。
【００４１】
これらのバッフル２６ａ，２６ｂは、各スピーカ３ａ，３ｂが筐体２の前方上向きとなるように所定の角度（本実施の形態では約４５度）をつけて筐体２に取り付けられている。この所定の角度は、各スピーカ３ａ，３ｂによるバックプレッシャが大きくならない範疇で、かつノートＰＣ６を使用するユーザが聞きやすい角度として設定されている。
【００４２】
なお、バッフル２６ａ、側面２２Ｌ、内側面３１ａ、載置面２１及び底面２４で形成されたスピーカ３ａの後方の空間は、当該スピーカ３ａのキャビティを構成する空間となっている。また、バッフル２６ｂ、側面２２Ｒ、内側面３１ｂ、載置面２１及び底面２４で形成されたスピーカ３ｂの後方の空間は、当該スピーカ３ｂのキャビティを構成する空間となっている。このように、これらのスピーカ３ａ，３ｂのキャビティを構成する空間は、上述したようにバッフル２６ａ，２６ｂが他の部材に対してしっかりと接着固定されることにより、他の空間と完全に独立した空間となっており、音質向上に寄与している。
【００４３】
バッフル２６ａ，２６ｂの前方には、側方から見た状態において当該バッフル２６ａ，２６ｂと略Ｖ字状を形成するように配置された傾斜板２７ａ，２７ｂが設けられている。これらの各傾斜板２７ａ，２７ｂの上端部および下端部は、載置面２１の下面及び各バッフル２６ａ，２６ｂの下端部に、それぞれ接着結合されている。
【００４４】
これにより、バッフル２６ａ，２６ｂの前方には、当該バッフル２６ａ，２６ｂ、傾斜板２７ａ，２７ｂ及び載置面２１によって囲まれた三角柱状の空間が形成される。この空間は、中高音出力用のスピーカ３ａ，３ｂの前方側のキャビティ空間となる。
【００４５】
各バッフル２６ａ，２６ｂ及び各傾斜板２７ａ，２７ｂによって形成されたＶ字状の開放側となる載置面２１の部位には、開口部２８ａ，２８ｂが設けられている。そして、これらの開口部２８ａ，２８ｂには、図１に示すように、通気性のあるサランネット２９ａ，２９ｂが嵌め込まれている。中高音出力用のスピーカ３ａ，３ｂから前方に出力される音は、開口部２８ａ，２８ｂからサランネット２９ａ，２９ｂを通過して、正対するＰＣ操作者の耳側に放出される。
【００４６】
載置面２１及び前面２５は、熱伝導性金属部材、より具体的には、それぞれ厚さ１ｍｍ〜１．５ｍｍの塩ピシートをラミネートしてなる鉄板で形成されている。このように金属板を載置面２１および前面２５に採用することにより、樹脂または木材を用いるより薄い板厚で、必要な強度を得ることが可能となる。
【００４７】
また、載置面２１に金属を採用することにより、低音出力用のスピーカ４のためのキャビティとなる空間の容積をより広げることができる。さらに、金属の採用により、各スピーカ３ａ，３ｂ，４の磁気シールド効果も発揮し、ノートＰＣ６の記憶装置の動作に影響を与えにくいという効果も有することとなる。また、このように採用される金属部材の適切な箇所をプレス加工にて凹部または凸部を設けると、当該部分にリブ効果が発生し、共振しにくい部材となるため、音質が向上する。また、載置面２１となる金属部材の表面に、表面処理を施すことによっても音質の向上が図れる。
【００４８】
また、金属で形成された載置面２１の裏側の任意の箇所に、厚さ１ｍｍ程度の銅板、真鍮板、または鉄板等の金属を所定の平面寸法に切断しさらに折り曲げたものを、接着材で貼り付けると、音質の向上が図れる。なお、貼り付ける金属は、異種の金属をさらに貼り合わせたものとしても良い。例えば、厚さ０．５ｍｍのアルミウム板と鉄板とを貼り合わせたものを、載置面２１の裏側に貼付すると、磁気シールド性、及び放熱性、及び非共振性を兼ね備えたものとなる。
【００４９】
載置面２１は、前方に向かって下がっていく傾斜面で形成されている。本実施の形態では、その傾斜角度は、水平面に対して約７．５度となっており、キーボード操作に支障を来さない角度である。
【００５０】
なお、この傾斜角度は、特に限定されるものではないが、２度から２５度の範囲とするのが好ましい。この傾斜の角度は、大きくなる程、音質が良好になる。
【００５１】
前面２５の内側には、スピーカ３ａ，３ｂ，４を駆動するためのアンプ１０が装着されている。また、前面２５の表面には、パイロットランプ７，７と、起動スイッチ８と、ステレオヘッドホンジャック９が配置されている。
【００５２】
両内側板３１ａ，３１ｂの一部、両側面２２Ｌ，２２Ｒの一部、載置面２１、凹部前端面１２、底面２４及び前面２５に囲まれて形成された空間２０は、低音出力用のスピーカ４の音響キャビティとなる空間になっている。両内側板３１ａ，３１ｂ、両側面２２Ｌ，２２Ｒ、載置面２１、奥側端面２３、底面２４及び前面２５は、その接触面においてそれぞれしっかりと接着固定されており、これらに囲まれた空間２０は、他の空間と完全に独立したキャビティ空間となっており、音質向上に寄与している。
【００５３】
筐体２の奥側には、幅が３００ｍｍで、奥側の端部から手前側の寸法が１００ｍｍとなる切り欠き状の凹部１１が形成されている。この凹部１１の幅方向の寸法は、載置面２１に載置されるノートＰＣ６の幅方向の寸法より若干小さい程度のものとなっている。
【００５４】
この凹部１１は、両内側面３１ａ，３１ｂと、底面２４と、凹部前端面１２に囲まれた空間となっており、この凹部１１の形状に合わせて載置面２１は、切り欠かれている。この凹部１１は、ノートＰＣ６を駆動する電源供給部となるＡＣアダプタ１９を装填するためのＡＣアダプタ装填部となっている。
【００５５】
凹部前端面１２の前面、すなわち低音出力用のスピーカ４のキャビティとなる空間２０側の面には、低音出力用のスピーカ４が取り付けられている。この低音出力用のスピーカ４は、振動板（図示省略）が載置面２１に対して略直角となるように取り付けられ、当該振動板の前面及び背面に、当該振動板の振動に起因するバックプレッシャを防止するためのスペースが設けられている。すなわち、低音出力用のスピーカ４は、その前面が凹部１１に向いており、背面が筐体２内の空間２０に向くように配置されている。このため、振動板の振動によるバックプレッシャが発生しない。
【００５６】
凹部前端面１２の低音出力用のスピーカ４の取り付けられた部分には、低音出力用のスピーカ４の径に合わせた穴が形成されている。この穴から、当該スピーカシステム１の後方に向かって、低音出力用のスピーカ４の音が出力される。
【００５７】
また、凹部前端面１２には、低音増幅用部材となるダクト１４が設けられている。このダクト１４は、一端側が低音出力用のスピーカ４のキャビティ空間内に配置され、他端が凹部前端面１２に形成された孔に差し込まれている。このダクト１４で増幅された音は、当該スピーカシステムの後方に向かって出力される。このダクト１４は、通常一般的に用いられるバスレフ方式のものである。加えて、凹部前端面１２には、各スピーカ３ａ，３ｂ，４を駆動するためのアンプ５が設けられている。なお、凹部前端面１２に、他の方式の低音増幅用部材、例えばパッシブラジエータ等を装着するように構成しても良い。
【００５８】
なお、ＡＣアダプタ１９を凹部１１に装着すると、低音出力用のスピーカ４及びダクト１４から音を出力するための穴が、ＡＣアダプタ１９によって塞がれてしまう。このことにより音圧の低下が無いように、凹部前端面１２に形成された穴とＡＣアダプタ１９との間に適度な空間が形成されるように構成されるのが好ましい。
【００５９】
また、凹部前端面１２の裏側の面には、ＵＳＢ用端子、光端子、オーディオ端子、ＡＣ用端子（共に図示省略）が配置されている。上述の構成により、載置面２１にノートＰＣ６を載置すると、このノートＰＣ６の背後にＡＣアダプタ装填部となる凹部１１が配置される。凹部前端面１２には、このように各種端子が配置されているため、ノートＰＣ６とＡＣアダプタ１９及び各種端子とを接続する場合、ノートＰＣ６の入出力用の各端子と、ＡＣアダプタ１９及び各種端子とを接続する各種配線用のケーブル（図示省略）が、凹部１１内に収まる。
【００６０】
このため、ノートＰＣ６を載置面２１に載せた状態で、筐体２及びノートＰＣ６を一緒に持ち運びすることが容易である。また、ノートＰＣ６を載置面２１から持ち去った場合、上述の各種配線用のケーブルが凹部１１内にすっきりと収まっているため、ノートＰＣ６の載置されていない状態の筐体２が乱雑とならない。この結果、ノートＰＣ６を再び載置面２１に載置し、各種配線用のケーブルを接続する場合も、その作業が容易となる。
【００６１】
また、筐体２の用途として、ノートＰＣ６を持ち去った状態の載置面２１を作業台として活用することもできる。載置面２１には、上述したように若干角度が設けられているため、より筆記作業は容易となる。このように、本実施の形態の携帯型パーソナルコンピュータ用のスピーカシステムは、配線ケーブルの取り付け及び取り外し作業を含むノートＰＣ６の着脱作業が容易で、しかもノートＰＣ６が載置されていない状態時において載置面２１上で筆記作業他の軽作業を行うこともできるという利便性の高いものとなっている。加えて、上述したように、従来はそれほど良好な音質ではなかったノートＰＣ対応のスピーカシステムの音質が大きく改善されている。
【００６２】
両側面２２Ｌ，２２Ｒは、化粧面とするべく、マホガニーの単材で形成され、当該筐体２のその他の箇所は、塩ビシートを貼り付けたバーティクルポードで形成されている。本実施の形態では、上述の材質を採用したが、これらの材質に限らるものではなく、他の材質を用いても良い。
【００６３】
このように、両側面２２Ｌ，２２Ｒを外観上の訴求面または意匠面（これらを総称して化粧面という）となる構成としたため、ノートＰＣ用のスピーカシステムとなる筐体にインテリア的要素を付加することができる。
【００６４】
また、本実施の形態では、両側面２２Ｌ，２２Ｒと、メインスピーカとなるスピーカ３ａ，３ｂのキャビティを構成する部材とを別の部材で構成している。すなわち、両側面２２Ｌ，２２Ｒは、別の部材の２枚貼り合わせた構成となっている。このように、キャビティ構成部品の材質と外側の化粧面との材質を違えることにより、キャビティが共振しにくくなる音響的な利点を有することとなる。
【００６５】
なお、両側面２２Ｌ，２２Ｒを載置面２１を折り曲げて、金属製部材で一体的に形成しても良い。また、載置面２１及び両側面２２Ｌ，２２Ｒを樹脂で一体成形しても良い。いずれにしても、両側面２２Ｌ，２２Ｒを化粧面とすると、当該部位に表面処理を行ったり、訴求目的のロゴを印刷したり、銘板の貼り付けを行うこととなるが、このようにすると、両側面２２Ｌ，２２Ｒの共振点が載置面２１等の他の部位と変わるため、上述したように、キャビティが共振しにくくなる音響的な利点を有することとなる。
【００６６】
このように、化粧面となる左右の側面２２Ｌ，２２Ｒは、その表面処理を各種の方法から選択することができ、また、古典家具的要素を取り入れ、ウォールナット単材（くるみ材）を用いて、その表面をオイル仕上げにするなどとしても良い。さらに、側面２２Ｌ，２２Ｒに他の音響的に好ましい合板を用い、表面をピアノ仕上げにしても良い。更には、側面２２Ｌ，２２Ｒに、アクリル樹脂板等の樹脂を用いても良いし、厚手の金属板、例えば真鐘、アルミニウム等を用いても良い。
【００６７】
本発明の携帯型パーソナルコンピュータ用のスピーカシステムの第１の実施の形態によれば、載置面２１上にノートＰＣ６を設置することにより、ノートＰＣ６の左右外側にステレオの中高音出力用のスピーカ３ａ，３ｂが配置される。しかも、これらの中高音出力用のスピーカ３ａ，３ｂは、十分なキャビティ空間を有し、かつ所定の角度を持って取り付けられているため、ＰＣ操作者の耳に対して略正対した理想的なステレオ音響となる。しかも、バッフル２６ａ，２６ｂ及び傾斜板２７ａ，２７ｂから形成される音道を介して音が発せられる。
【００６８】
そのため、高音質であると共に、音道のホーン効果により音圧も向上し、効率の良いスピーカシステム構造となる。しかも、音道を構成する傾斜板２７ａ，２７ｂが筐体２を補強するリブ効果も有しており、より一層、音質の向上にとって寄与することとなる。
【００６９】
さらに、載置面２１の下部後方には、低音出力用のスピーカ４も配置されている。この低音出力用のスピーカ４の音は、増幅されて後方に出力される。本実施の形態の携帯型パーソナルコンピュータ用のスピーカシステムでは、この低音出力用のスピーカ４に対しても十分なキャビティ空間を有している。そして、上述のステレオの中高音出力用のスピーカ３ａ，３ｂとこの低音出力用のスピーカ４とを合わせて、ノートＰＣ６用の３Ｄスピーカシステムが構成される。なお、上述の本実施の形態では、高音出力用スピーカ及びオーディオ用ネットワーク素子を装着していないが、これらを装着するようにしても良い。
【００７０】
上述したように、３Ｄシステム用の低音出力用のスピーカ４及びダクト１４から放出される音は、筐体２の背面側からの間接音である。したがって、上述の第１の実施の形態は、低音出力用のスピーカ４の発する低中帯域音に含まれる歪み音を吸収した状態となる。加えて、低音域音は、無指向性であるという性質を有する。このため、上述の第１の実施の形態は、ＰＣ操作者がメインスピーカとなる鋳鋼音出力用の両スピーカ３ａ，３ｂと反対側の位置に居ても違和感のない、低域の広がり感が自然と出るスピーカ効果を有することとなる。
【００７１】
次に、本発明に係る携帯型パーソナルコンピュータ用のスピーカシステムの第２の実施の形態を、図４に基づいて詳細に説明する。
【００７２】
図４は、本発明に係る携帯型パーソナルコンピュータ用のスピーカシステムの第２の実施の形態の筐体の外観及び内部構造の一部を示す一部断面斜視図である。なお、以下に説明では、上述の第１の実施の形態と同様の構成について、その説明を省略し、構成の異なる部分について主に説明するものとする。また、上述の第１の実施の形態で使用した符号を、説明の中で一部使用するものとする。
【００７３】
図４に示すように、携帯型パーソナルコンピュータ用のスピーカシステムの第２の実施の形態（以後、スピーカシステム５１という）の筐体５２は、ノートＰＣ６を載置可能な載置面７１と、この載置面７１の両側端から下方に延出された両側面７２Ｌ，７２Ｒと、載置面７１の奥側の左右端近傍における奥端から、それぞれ下方に延出された奥側端面７３ａ，７３ｂと、両奥側端面７３ａ，７３ｂの間に位置する凹部６１と、凹部６１内の前方端となる凹部前端面６２と、内側板８１ａ，８１ｂ，８１ｃと、載置面７１と上下方向において対向する位置に配置された底面７４と、載置面７１、底面７４及び両側面７２Ｌ，７２Ｒの各前端に連結された前面７５を有している。
【００７４】
また、筐体５２は、左右両側で奥行き方向奥側に斜面で形成されたそれぞれ段部５２ａ，５２ｂと、各段部５２ａ，５２ｂに連続する平面部５２ｃ，５２ｄが設けられている。これらの段部５２ａ，５２ｂ及び平面部５２ｃ，５２ｄを設けることによって、筐体５２の左右両側で奥行き方向奥側部分に、上下方向へ拡張されたスペースが形成される。この上下方向が拡張された両スペースは、中高音出力用のスピーカ５３ａ，５３ｂのためのキャビティ空間となると共に、両スペースのうち右側に配置されるスペースは、低音出力用のスピーカ５４のためのキャビティ空間にもなっている。
【００７５】
筐体５２は、その外形寸法が、幅が６００ｍｍで、奥行きが５００ｍｍで、最奥側の平面部５２ｃ，５２ｄのある部分の高さが１００ｍｍで、奥行き方向略中央部分であって段部５２ｃの下端部分が配置される部分の高さが７０ｍｍで、手前側の前面７５の部分の高さが３０ｍｍとなる、概ね箱状の形状を有している。
【００７６】
この第２の実施の形態では、上述の第１の実施の形態より、載置面７１部分の上下方向の寸法を小さくし、筐体５２を薄型化している。これによって、筐体５２内の手前側の上下方向のスペース（載置面７１の下部の上下方向のスペース）が狭くなるが、上述したように、段部５２ａ，５２ｂ及び平面部５２ｃ，５２ｄが奥側に設けられており、この構成によりキャビティ空間を確保している。また、低音出力用のスピーカ５４は、上述の第１の実施の形態と比較すると奥側に配置されているため、筐体５２内の上下方向に薄い空間をより有効に活用し、低音出力用のスピーカ５４のキャビティ空間を確保していることとなる。
【００７７】
この第２の実施の形態では、載置されたノートＰＣ６の右側のスペース（面）を広めに形成し、この広い面をマウスの操作部としている。具体的には、この第２の実施の形態の筐体５２の幅方向の寸法を、上述の第１の実施の形態の筐体２より１００ｍｍ大きくし、この大きくなった分をマウスの操作部としている。なお、この載置面７１のマウス操作部となる部分にトラッキングボールを配置するようにしても良い。
【００７８】
筐体５２は、その上部にノートＰＣ６を載置した状態で、当該ノートＰＣ６の左右両側端からさらに幅方向両側にそれぞれ突出するように構成されている。なお、本実施の形態では、この突出されている部位の幅方向の寸法が、図４において、右側が２００ｍｍで、左側が１００ｍｍとなっているが、左右逆でも良いし、左右均等でも良い。
【００７９】
上述の突出されている部位のうち、右側に突出している大きな突出部位の内部空間は、幅方向略中央において、内側板８１ａによって仕切られている。そして、この内側板８１ａの内側の空間、すなわち中央側の空間は、低音出力用のスピーカ５４のためのキャビティ空間となっている。また、内側板８１ａの外側の空間は、上述の第１の実施の形態と同様、中高音出力用のスピーカ５３ａを配置するための空間となっている。
【００８０】
すなわち、上述の突出されている部位の内部は、空間となっており、側面７２Ｌから筐体５２の幅方向内側に向かって所定距離離れた位置には、内側板８１ａが筐体５２の内部に固定されている。また、この内側板８１ａのさらに所定距離内側方向には、第３の内側板８１ｃが設けられている。
【００８１】
この第３の内側板８１ｃは、筐体５２の後端から前方に向かって途中部分までまで延出されている。そして、第３の内側板８１ｃと内側板８１ａには、当該両板８１ａ，８１ｃに直交し両者を連結するように配置された重低音スピーカ用バッフル９０の両端が固定されている。
【００８２】
そして、このバッフル９０には、低音出力用のスピーカ５４が取り付けられている。この低音出力用のスピーカ５４は、振動板（図示省略）が載置面７１に対して略直角となるように取り付けられ、当該振動板の前面及び背面に、当該振動板の振動に起因するバックプレッシャを防止するためのスペースが設けられている。すなわち、低音出力用のスピーカ５４は、その前面及び背面がバッフル９０の背面のフリースペース及び筐体５２内の空間２０に向いている。そのため、振動板の振動によるバックプレッシャが発生しない。
【００８３】
なお、この第３の内側板８１ｃと内側板８１ａとの間の、低音出力用のスピーカ５４が配置された空間は、筐体５２の載置面７１の下部に配置される大きな空間７０と連通している。これによって、低音出力用のスピーカ５４のキャビティ空間が広く確保される。
【００８４】
内側板８１ａは、その奥側の端部が奥側端面７３ａの内面に当接し、手前側の端部が傾斜面７７ａと当接する位置まで延出されている。内側板８１ａと側面７２Ｌとに挟まれた空間には、中高音出力用のスピーカ５３ａが配置されている。
【００８５】
上述したように形成された筐体５２の右側の内部空間には、上述の第１の実施の形態と同様、中高音出力用のスピーカ５３ａを取り付けたスピーカ取り付け部となるバッフル７６ａが回動不能に接着固定されている。
【００８６】
また、筐体５２のノートＰＣ６の左側に突出している部位における内部は、空間となっており、側面７２Ｒから筐体２の幅方向内側（右側）に向かって所定距離離れた位置には、内側板８１ｂが固定されている。側面７２Ｒと内側板８１ｂとの間の内部空間は、筐体５２の右側に配置される側面７２Ｌと内側板８１ａとの間と同じ構成が設けられており、中高音出力用のスピーカ５３ｂが同様に配置されており、キャビティの構成も筐体５２の右側の空間の構成と同様である。
【００８７】
前面７５の内側には、スピーカ５３ａ，５３ｂ，５４を駆動するためのアンプ６０が装着されている。また、前面７５の表面には、パイロットランプ５７，５７と、起動スイッチ５８と、ステレオヘッドホンジャック５９が配置されている。
【００８８】
載置面７１の下部に広がる内部空間は、上述したように、低音出力用のスピーカ５４の音響キャビティとなる空間になっている。両内側板３１ａ，３１ｂ、両側面７２Ｌ，７２Ｒ、載置面７１、凹部前端面６２、底面７４及び前面７５は、その接触面においてそれぞれしっかりと接着固定されており、これらに囲まれた空間７０は、他の空間と完全に独立したキャビティ空間となっており、この構成が音質向上に寄与している。
【００８９】
筐体５２の奥側には、上述の第１の実施の形態と同様、ＡＣアダプタ装填部となる切り欠き状の凹部６１が形成されている。また、凹部６１内の凹部前端面６２には、低音増幅用部材となるダクト６４が設けられている。
【００９０】
上述した各実施の形態のスピーカシステムによれば、限られたスペースに於いて中高出力用のスピーカ３ａ，３ｂ，５３ａ，５３ｂの位置を可能な限り左右に広げてよりステレオ効果を発現せしめることができる。また、左右両側の一対のスピーカ３ａ，３ｂは、バッフル２６ａ，２６ｂ，７６ａ，７６ｂがキャビティを大きく取れる位置に配置されることにより、傾斜角度を利用し、後（奥）方向の広いキャビティを有効に利用できる構造となっている。また、低音用スピーカ４，５４の配置も可能な限り後（奥）方向に設定し、キャビティを有効に利用すると同時に、バックブレッシャの影響も排除されたものとなっている。
【００９１】
また、上述した構成としたため、左右両側の一対のスピーカ３ａ，３ｂ，５３ａ，５３ｂの振動板がＰＣ操作者の方向に向くこととなり、より一層、十分なバックキャビティが確保される。また、加えて、従来例のような可動部分を廃したため、ビリ音の発生が無く、音質がさらに明瞭なものとなる。
【００９２】
また、上述した各実施の形態のスピーカシステムによれば、メインスピーカとなる両スピーカ３ａ，３ｂを内蔵するキャビティ空間の容積が左右で略同一である。従来、ＰＣ用パワーアンプ付きスピーカシステム、一般に後付け用スピーカと言われているスピーカシステムでは、左右チャンネルのいずれか一方のスピーカ筐体内にパワーアンプが内蔵された構造を有している。このため、左右のスピーカを内蔵する筐体の容積が異なり、音響バランスが狂ってしまうという問題が生じる。
【００９３】
しかし、上述した各実施の形態では、メインスピーカとなる左右両スピーカ３ａ，３ｂを内蔵する筐体部分、すなわちキャビティを構成する空間がアンプ１０，１５を配置する空間から完全に仕切られており、その容積は同一に構成されているため、上述のような問題が生じない。したがって、左右両スピーカ３ａ，３ｂは、完全に均一なキャビティを得ることができ、高音質となる。
【００９４】
加えて、上述の各実施の形態では、ノートＰＣ６の左右両側に突出した部分にメインスピーカとなるスピーカ３ａ，３ｂが配置されることとなり、十分なステレオ効果を得ることができる。
【００９５】
なお、上述の各実施の形態は、本発明の好適な実施の形態の例であるが、これに限定されるものではなく、本発明の要旨を逸脱しない範囲において種々変形実施可能である。例えば、上述の第１の実施の形態では、左右両側に中高音出力用のスピーカ３ａ，３ｂを配置し、略中央後方に低音出力用のスピーカ４を配置したが、これらの配置は適宜変更可能である。例えば、上述の第２の実施の実施の形態のように低音出力用のスピーカ５４を若干中央より右側に配置しても良いし、逆に左側に配置するようにしても良い。また、低音出力用のスピーカ４を左右両側に配置するようにしても良い。
【００９６】
上述の各実施の形態のスピーカシステムによれば、従来技術で説明した例のような可動部を備えた構成を有していないため、可動部によるトラブル、例えばビリ音の発生等の欠点が解消される。また、上述の各実施の形態では、立方体ではなく、載置面２１，７１を傾斜面とした略台形状の形状としたため、共振しにくい構造となっており、この構造が音質の向上に寄与するようになっている。
【００９７】
しかも、バッフル２６ａ，２６ｂ，７６ａ，７６ｂより後方部分の上下方向の寸法が大きくなる横造であることから、通常のキャビネット構造よりキャビティが増える利点を有している。加えて、バッフル２６ａ，２６ｂ，７６ａ，７６ｂが斜面状に角度を持って取り付けられているため、この構造によってもバッフル２６ａ，２６ｂ，７６ａ，７６ｂの背面側のキャビティ空間を増加させる利点を有している。
【００９８】
従って、該位置に装着するスピーカに対して、充分なキャビティを提供することが可能となり、従来例の様な限定されたスピ―カ（薄型スピーカ）ユニットを使用する必要が無く、メインスピーカの音質の明瞭度が増し、極めて良好な音質を得ることが可能となる。また、可動部が無くシンプルな構造となるため、部品点数が減り、組み立て工数も削減でき、大幅なコストダウンに繋がる利点も有する。
【００９９】
なお、上述の第２の実施の形態では、上述の第１の実施の形態に比べて、筐体５２の幅方向の寸法を大きくして、マウス操作部となるスペースを設けた。しかし、コンパクト性を重視するなら、例えば、ＰＣ用のマイクロスピーカを奥行き方向に複数個並べ、トーンゾイレ形態のスピーカシステムとすると、実用的な音圧、音質を得ることができ、なおかつコンパクトなものとすることができる。その場合、ノートＰＣ６から、片側２０ｍｍ程度の突出でスピーカシステムを収納することができ、筐体２を極めてコンパクトなものとすることができる。
【０１００】
上述の各実施の形態では、携帯型パーソナルコンピュータをノートＰＣとしたが、他の装置、例えば、ＰＤＡ等でも良い。
【０１０１】
【発明の効果】
以上説明したように、本発明によれば、携帯型パーソナルコンピュータの音声出力の質を向上させると共に、携帯型パーソナルコンピュータの取り付け台としての実用性及び利便性を向上させることができる。
【図面の簡単な説明】
【図１】本発明に係る携帯型パーソナルコンピュータ用のスピーカシステムの第１の実施の形態の全体を示す斜視図である。
【図２】図１のスピーカシステムの筐体の外観及び内部構造の一部を示す一部断面斜視図である。
【図３】筐体の内部構造を説明するための図で、（Ａ）は底面を取り外して筐体を底面側から見た状態を示す底面図、（Ｂ）は筐体を後方から見た状態を示す背面図、（Ｃ）は筐体をサランネットを取り外して上方から見た状態を示す平面図である。
【図４】本発明に係る携帯型パーソナルコンピュータ用のスピーカシステムの第２の実施の形態の筐体の外観及び内部構造の一部を示す一部断面斜視図である。
【符号の説明】
１  スピーカシステム
２  筐体
３ａ，３ｂ  スピーカ
４  スピーカ
６  ノートＰＣ（携帯型パーソナルコンピュータ）
１１  凹部
１２  凹部前端面（筐体の後部の面と平行となる面）
１４  ダクト（低音増幅用部材）
２１  載置面
２２Ｌ，２２Ｒ  側面
２６ａ，２６ｂ  バッフル（スピーカ取り付け部材）
５２  筐体
５３ａ，５３ｂ  スピーカ
５４  スピーカ
６１  凹部
６２  凹部前端面（筐体の後部の面と平行となる面）
６４  ダクト（低音増幅用部材）
７１  載置面
７２Ｌ，７２Ｒ  側面
７６ａ，７６ｂ  バッフル（スピーカ取り付け部材）
【図１】
2004171043.tif 000003
【図２】
2004171043.tif 000004
【図３】
2004171043.tif 000005
【図４】
2004171043.tif 000006